(57)【要約】  【課題】日常の装いに違和感のない適度な華やかさを備え、ＴＰＯや好みに応じて異なる雰囲気を演出できる襟巻きを提供すること。【解決手段】襟巻き本体と、襟巻き本体よりも長尺のスカーフとを備え、襟巻き本体が、両端に開口部を有し、長手方向に前記スカーフを挿通可能な筒状に形成されているとともに、襟巻き本体の表面若しくは表面の少なくとも一部分が、毛皮、人工毛皮、若しくは起毛素材で構成されていることを特徴とする。【選択図】図４
0003112460.tif 000002
【実用新案登録請求の範囲】
【請求項１】
襟巻き本体に、長尺の帯状体を襟巻き本体の長手方向に沿って挿通可能な挿通部が設けられていることを特徴とする襟巻き。
【請求項２】
襟巻き本体が、両端に開口部を有し、長手方向に帯状体を挿通可能な筒状に形成され、筒内部が挿通部を構成していることを特徴とする請求項１記載の襟巻き。
【請求項３】
襟巻き本体の表面若しくは表面の少なくとも一部分が、毛皮、人工毛皮、若しくは起毛素材で構成されていることを特徴とする請求項１または２記載の襟巻き。
【請求項４】
襟巻き本体と、襟巻き本体よりも長尺のスカーフとを備え、襟巻き本体が、両端に開口部を有し、長手方向に前記スカーフを挿通可能な筒状に形成されているとともに、襟巻き本体の表面若しくは表面の少なくとも一部分が、毛皮、人工毛皮、若しくは起毛素材で構成されていることを特徴とする襟巻き。
【考案の詳細な説明】
【技術分野】
【０００１】
本考案は、首の回りに装着される襟巻きに関するもので、特に襟元を華やかに演出するお洒落用の襟巻きに関するものである。
【背景技術】
【０００２】
従来、この種の襟巻きとしては、色柄が施されたスカーフや、ミンクやセーブルなどの毛皮の襟巻きが一般的である。しかし、スカーフは、色柄や結び方によって、異なる印象を与えることができるものの、より個性的で自分らしいお洒落を求める女性にとっては飽き足らない感があり、近年では、いわゆるブランド志向により有名ブランドの製品の人気が高く、特にブランド名が外見上視認できるように着用することで、他人との差別化を図ろうとする傾向がある。また、毛皮の襟巻きは、大ぶりのものは、大変高価である上、豪華すぎて、日常の装いには不適当であるし、小ぶりのものは、値段が手頃であるが、地味で貧弱な印象になりやすいという問題もある。
一方、毛皮小片を継ぎ合わせて毛皮帯を形成し、複数の毛皮帯を合皮または布地片で継ぎ合わせ、合皮または布地片の裏面に取り付けた紐を絞って、毛皮帯の長さや膨らみを調整するようにした毛皮襟巻きも開示されている（例えば、特許文献１参照）。
【特許文献１】特開２００２−３４８７１４号公報
【考案の開示】
【考案が解決しようとする課題】
【０００３】
しかしながら、上記の毛皮襟巻きは、毛皮小片を使用しているので、材料費等の低減を期待できるものの、裁断や縫製などの製造工程が非常に複雑であるという不具合がある。また、複数の毛皮小片を継ぎ合わせているため、やや安価な印象を与えかねない。
本考案は、以上の問題点に鑑み考案されたものであって、日常の装いに違和感のない適度な華やかさを備え、ＴＰＯや好みに応じて異なる雰囲気を演出できる襟巻きを提供することを目的としている。
【課題を解決するための手段】
【０００４】
請求項１記載の考案の襟巻きは、襟巻き本体に、長尺の帯状体を襟巻き本体の長手方向に沿って挿通可能な挿通部が設けられていることを特徴とするものである。
【０００５】
請求項２記載の考案の襟巻きは、襟巻き本体が、両端に開口部を有し、長手方向に帯状体を挿通可能な筒状に形成され、筒内部が挿通部を構成していることを特徴とするものである。
【０００６】
請求項３記載の考案の襟巻きは、襟巻き本体の表面若しくは表面の少なくとも一部分が、毛皮、人工毛皮、若しくは起毛素材で構成されていることを特徴とするものである。
【０００７】
請求項４記載の考案の襟巻きは、襟巻き本体と、襟巻き本体よりも長尺のスカーフとを備え、襟巻き本体が、両端に開口部を有し、長手方向に前記スカーフを挿通可能な筒状に形成されているとともに、襟巻き本体の表面若しくは表面の少なくとも一部分が、毛皮、人工毛皮、若しくは起毛素材で構成されていることを特徴とするものである。
【考案の効果】
【０００８】
請求項１記載の考案にかかる襟巻きによれば、襟巻き本体に、長尺の帯状体を襟巻き本体の長手方向に沿って挿通可能な挿通部が設けられているので、襟巻き本体をそのままで使用することができる上、襟巻き本体に帯状体を挿通させることもでき、新たなデザインを演出できる。また、帯状体を取り替えれば、異なる雰囲気を演出することができ、ワンパターン化しない魅力的な装いを実現できる。
【０００９】
請求項２記載の考案の襟巻きによれば、襟巻き本体が、両端に開口部を有し、長手方向に帯状体を挿通可能な筒状に形成され、筒内部が挿通部を構成しているので、襟巻き本体内に帯状体を挿通させるだけで、誰でも簡単かつ確実に襟巻き本体に帯状体を取り付けることができる。また、襟巻き本体を筒状に形成するだけで、帯状体を挿通させる挿通部を形成できるので、製造コストを抑制できる。
【００１０】
請求項３記載の考案の襟巻きによれば、襟巻き本体の表面若しくは表面の少なくとも一部分が、毛皮、人工毛皮、若しくは起毛素材で構成されているので、襟元を豪華に演出することができる上、首の回りを効果的に保温できる。
【００１１】
請求項４記載の考案の襟巻きによれば、襟巻き本体と、襟巻き本体よりも長尺のスカーフとを備え、襟巻き本体が、両端に開口部を有し、長手方向に前記スカーフを挿通可能な筒状に形成されているとともに、襟巻き本体の表面若しくは表面の少なくとも一部分が、毛皮、人工毛皮、若しくは起毛素材で構成されているので、襟巻き本体の毛皮、人工毛皮、若しくは起毛素材による豪華な印象と優れた保温効果が得られる上、スカーフの柔らかな質感や色柄により、日常の装いに違和感のない適度な華やかさを得ることができる。また、スカーフを襟巻き本体の挿通部に挿通させるだけで、誰でも簡単かつ確実に襟巻き本体にスカーフを取り付けることができる。さらに、手持ちのスカーフに取り替えることもできるので、ファッションコーディネートの幅が広がる上、経済的である。
【考案を実施するための最良の形態】
【００１２】
以下、本考案の一実施形態にかかる襟巻きを図面に基づいて説明する。
【００１３】
本実施形態の襟巻き１は、図１に示すように、筒状の襟巻き本体２ａと、襟巻き本体２ａの内部に挿通されるスカーフ３で構成されている。
【００１４】
襟巻き本体２ａは、ミンク、セーブル、ラビットなどの毛皮製で、図１，図３，図５に示すように、幅約１２ｃｍ、長さ約５５ｃｍの扁平な筒状に形成されている。襟巻き本体２ａの両端部には、開口部２１，２２が設けられており、襟巻き本体２ａの内部には、開口部２１，２２に連通する挿通孔２３が形成されている。襟巻き本体２ａは、図２（ａ）に示すように、幅約２５ｃｍ、長さ約５５ｃｍに裁断された毛皮片Ｐを毛足のある側の面を内側にして幅方向に折り畳み、図２（ｂ）に示すように、幅方向両端部Ｐ１，Ｐ２をミシンなどで縫合して筒状に形成し、図２（ｃ）に示すように、筒の長手方向両端部Ｑ１，Ｑ２を約１ｃｍ折り返して縫着した後、毛足のある側の面が外側となるように返して形成される。
【００１５】
スカーフ３は、絹製やポリエステル製などの滑らかな生地で、縦約９０ｃｍ、横約９０ｃｍの平面視略正方形状に形成されている、表面に色柄がプリントされている。
【００１６】
襟巻き１は、図３に示すように、スカーフ３を対角線方向に数回折り畳んで、長さ約１２０ｃｍの帯状に形成した後、襟巻き本体２ａの一端開口部２１から他端開口部２２に向かって挿通孔２３に挿通させ、図１に示すように、スカーフ３の両端部３１，３２を襟巻き本体２ａの両端開口部２１，２２からそれぞれ同じ長さだけ引き出して形成される。使用時には、図４に示すように、襟巻き本体２ａを首の回りに巻きつけて、スカーフ３の両端部３１，３２を胸元で結ぶ。
【００１７】
以上、詳細に説明した通り、本実施の形態の襟巻き１は、毛皮製の襟巻き本体２ａの内部にスカーフ３を挿通させ、襟巻き本体２ａの両端開口部２１，２２からスカーフ３の両端部３１，３２を引き出して形成されているので、襟巻き本体３の毛皮による豪華な印象と優れた保温効果が得られる上、スカーフ３の柔らかな質感や色柄により、気分や雰囲気に合わせて、日常の装いに違和感のない適度な華やかさを得ることができる。さらに、スカーフ３が、有名ブランドの製品である場合には、襟巻き１全体として、高級な印象が得られるという効果もある。
【００１８】
また、襟巻き本体２ａの挿通孔２３にスカーフ３を挿通させるだけの簡単な動作で、誰でも簡単かつ確実に襟巻き本体２ａにスカーフ３を取り付けることができる。また、スカーフ３は、手持ちのスカーフにも容易に取り替え可能で、経済的である上、様々なファッションコーディネートができる。
【００１９】
また、襟巻き本体２ａの構造が簡単であるので、容易に製造でき、製造コストを低減できるという利点もある。
【００２０】
さらに、襟巻き本体２ａは、長手方向両端部の毛皮が内側に折り返されているので、外部から毛皮の裏面が見えることがなく美観に優れる上、襟巻き本体２ａの両端開口部の口径が、挿通孔２３の内径よりもやや小径となり、挿通孔２３内に挿通されたスカーフ３の抜け落ちを防止できる。
【００２１】
また、襟巻き本体２ａは毛皮製で、柔軟性を有しているので、襟巻き本体２ａ内に挿通されたスカーフ３の両端部３１，３２の長さが長くなるように、襟巻き本体２ａをたくし上げて調節すれば、襟巻き本体２ａがギャザーを寄せたような形状を形成することができ、簡単にイメージチェンジをすることができる。また、襟巻き本体２ａが、首の回りにフィットするので、保温性が向上する。
【００２２】
なお、本実施の形態の襟巻き１は、襟巻き本体２ａ全体が毛皮で形成されているが、これに限られることなく、図６（ａ）（ｂ）に示す襟巻き本体２ｂ，２ｃのように、少なくとも着用時に表側となる部分を毛皮で構成するとともに、裏側となる部分を毛皮以外の安価な材料で構成してもよい。なお、毛皮以外の安価な材料としては、例えば合皮や布帛などが挙げられる。このようにすれば、高価な毛皮の使用量を低減でき、手頃な価格で商品を提供することができる。
【００２３】
また、襟巻き本体２ａに使用される材料は、ミンク、セーブル、ラビットなどの毛皮に限定されるものではなく、他の動物の毛皮であってもよいし、人工毛皮、いわゆるフェイクファーであってもよい。なお、人工毛皮には、編地状の布地に動物の毛を植毛してなる植毛素材も含むものとする。また、毛皮や人工毛皮などの毛足を有するものに限られず、襟元をお洒落に装飾できるものであればよいので、例えば、ベルベットや別珍、若しくはループ状の編地などの起毛素材であってもよい。襟巻き本体２ｂ，２ｃについても同様である。
【００２４】
さらに、襟巻き本体２ａは、着用時に表側となる部分の少なくとも一部が、毛皮、人工毛皮、若しくは起毛素材で構成されていればよく、例えば、毛皮と起毛素材とを交互に配置した構成であってもよい。また、表面と裏面とをそれぞれ異なる色、素材等で形成し、リバーシブルで使用できるようにしてもよい。
【００２５】
また、襟巻き本体２ａの寸法および形状は、上記実施の形態に限られず、首の回りに周回できる長さ、形状を有していればよいが、外形幅としては５ｃｍから１５ｃｍ、長さは４０ｃｍから６０ｃｍ程度が好ましい。
【００２６】
また、本実施の形態では、平面視略正方形状のスカーフ３を帯状に折り畳んで用いたが、スカーフ３の形状はこれに限られず、はじめから長尺の帯状に形成されたものであってもよい。さらに、本実施の形態では、帯状体としてスカーフ３を用いたが、スカーフ３に限定されるものではなく、例えば、マフラー、ストール、レース布などでも構わない。
なお、男性用のマフラーやストールなどを用いれば、男性用の襟巻きとしても使用できる。つまり、襟巻き本体２のデザインや色合い、スカーフ３などの帯状体のデザインや種類等によって、年齢や性別を問わず、誰もが襟巻きの着用を楽しむことができるのである。
【００２７】
また、本実施の形態では、襟巻き本体２ａを筒状に形成したが、襟巻き本体２ａの形状は筒状に限定されるものではなく、長尺の帯状体を襟巻き本体の長手方向に沿って挿通可能な挿通部を有していればよい。したがって、例えば、襟巻き本体２ａを帯状に形成し、その裏面側に襟巻き本体の長手方向に沿って、長尺の帯状体を挿通可能なループを取り付けた構造であってもよい。
【図面の簡単な説明】
【００２８】
【図１】本考案の一実施形態に係る襟巻き１の外観図である。
【図２】（ａ）襟巻き本体２ａの製造工程を示す説明図である。（ｂ）襟巻き本体２ａの製造工程を示す説明図である。（ｃ）襟巻き本体２ａの製造工程を示す説明図である。
【図３】襟巻き本体２ａにスカーフ３を挿通させる挿通手順を示す説明図である。
【図４】襟巻き１の着用態様を示す概観図である。
【図５】図３の襟巻き本体２ａのＸ―Ｘ断面図である。
【図６】（ａ）第２の実施形態の襟巻き本体２ｂを示す説明図である。（ｂ）第３の実施形態の襟巻き本体２ｃを示す説明図である。
【符号の説明】
【００２９】
１    襟巻き
２ａ  襟巻き本体
２ｂ  襟巻き本体
２ｃ  襟巻き本体
２１  開口部
２２  開口部
２３  挿通部
３    スカーフ（帯状体）
【図１】
0003112460.tif 000003
【図２】
0003112460.tif 000004
【図３】
0003112460.tif 000005
【図４】
0003112460.tif 000006
【図５】
0003112460.tif 000007
【図６】
0003112460.tif 000008